(57)【特許請求の範囲】
【請求項１】
ターゲットに対して液体を噴射する液体噴射ヘッドと、
前記液体噴射ヘッドから前記液体を廃液として廃液流路を通じて排出させるメンテナンス動作を実行可能なメンテナンスユニットと、
装置本体内における前記廃液流路の下流端と対応する装着位置に着脱可能とされ、前記装着位置に装着された状態で前記廃液流路の下流端から排出される前記廃液を受容可能な廃液タンクと、
前記装置本体内における前記装着位置に対する前記廃液タンクの着脱時に開閉動作するように前記装置本体に設けられた開閉部材と、
前記開閉部材の開閉動作を許容する許容位置及び前記開閉部材の開閉動作を規制する規制位置の間で変位可能であって常には前記規制位置に位置する規制部材と、
前記規制位置から前記許容位置への前記規制部材の変位を検出する検出手段と、
前記検出手段が前記規制部材の変位を検出した場合に、前記メンテナンスユニットによる前記液体噴射ヘッドに対するメンテナンス動作を停止させる制御手段と
を備え、
前記規制部材は、前記ターゲットを収容可能に形成されたターゲット収容体であることを特徴とする液体噴射装置。
【請求項２】
請求項１に記載の液体噴射装置において、
前記開閉部材は、当該開閉部材の開閉動作の際に操作される操作部を有すると共に、
前記規制部材は、前記規制位置に位置した状態では前記操作部を外部からの操作不能に覆うことを特徴とする液体噴射装置。
【発明の詳細な説明】
【技術分野】
【０００１】
本発明は、例えば、インクジェット式プリンター等の液体噴射装置に関する。
【背景技術】
【０００２】
従来、液体噴射ヘッドに形成されたノズルからターゲットに液体を噴射する液体噴射装置として、インクジェット式プリンターが広く知られている。こうしたプリンターにおいては、ノズル内に気泡が混入した状態でインクの噴射を行うと、印刷した画像において、気泡が混入したノズルと対応する部分が印刷されない、いわゆるドット抜けを生じることがあった。そこで、ドット抜けによる印字不良の発生を抑制するために、インクと共にノズル内の気泡を排出するクリーニング動作を実行するためのヘッドメンテナンスユニットを備えたプリンターが提案されている（例えば、特許文献１参照）。
【先行技術文献】
【特許文献】
【０００３】
【特許文献１】特開２００７−１５２８１２号公報
【発明の概要】
【発明が解決しようとする課題】
【０００４】
ところで、特許文献１に記載のプリンターにおいて、クリーニング動作により液体噴射ヘッド内から強制的に吸引された廃インクは、廃インクチューブなどを経由してヘッドメンテナンスユニットの回収タンクに回収されることになる。そして、回収タンクにおける廃インクの回収量には限界があるため、ユーザーがこうした回収タンクをプリンターから取り外すこともあり得る。
【０００５】
しかしながら、液体噴射ヘッドのクリーニング動作を実行した直後にプリンターから回収タンクを取り外そうとした場合、回収タンクへの回収が完了していない廃インクが、廃インクチューブの下流端からプリンター内に滴下してプリンター内を汚染する虞があった。
【０００６】
本発明は、このような事情に鑑みてなされたものであり、その目的は、メンテナンスユニットによるメンテナンス動作後に廃液タンクを取り外した場合において装置本体内の汚染を抑制することができる液体噴射装置を提供することにある。
【課題を解決するための手段】
【０００７】
上記目的を達成するために、本発明の液体噴射装置は、ターゲットに対して液体を噴射する液体噴射ヘッドと、前記液体噴射ヘッドから前記液体を廃液として廃液流路を通じて排出させるメンテナンス動作を実行可能なメンテナンスユニットと、装置本体内における前記廃液流路の下流端と対応する装着位置に着脱可能とされ、前記装着位置に装着された状態で前記廃液流路の下流端から排出される前記廃液を受容可能な廃液タンクと、前記装置本体内における前記装着位置に対する前記廃液タンクの着脱時に開閉動作するように前記装置本体に設けられた開閉部材と、前記開閉部材の開閉動作を許容する許容位置及び前記開閉部材の開閉動作を規制する規制位置の間で変位可能であって常には前記規制位置に位置する規制部材と、前記規制位置から前記許容位置への前記規制部材の変位を検出する検出手段と、前記検出手段が前記規制部材の変位を検出した場合に、前記メンテナンスユニットによる前記液体噴射ヘッドに対するメンテナンス動作を停止させる制御手段とを備え、前記規制部材は、前記ターゲットを収容可能に形成されたターゲット収容体である。
【０００８】
上記構成によれば、メンテナンスユニットによる液体噴射ヘッドのメンテナンス動作を行った直後に廃液タンクを取り外すために開閉部材の開放動作を実行しようとしても、開閉部材を開放するためには規制部材を規制位置から許容位置に向けて変位させる動作が必要となる。すなわち、開閉部材の開放動作に際して、規制部材を規制位置から許容位置に変位させるまでの間に時間を要する。そのため、開閉部材を開放する時点においては、メンテナンスユニットのメンテナンス動作を完了させた時点から少しは時間が経過した状態とすることができる。その結果、この時点において開閉部材を開放して装置本体内の装着位置から廃液タンクを取り外したとしても、廃液流路の下流端から廃液が滴下するようなことは殆どない。したがって、メンテナンスユニットによるメンテナンス動作後に廃液タンクを取り外した場合において装置本体内の汚染を抑制することができる。
【０００９】
また、開閉部材の開閉動作を規制するための専用の部材を設けることが不要となるため、部品点数を低減することができる。
【００１３】
また、ユーザーがメンテナンスユニットのメンテナンス動作時に開閉部材を開放しようとしたとしても、規制位置から許容位置への規制部材の変位に応じてメンテナンスユニットのメンテナンス動作が停止される。そして、メンテナンスユニットのメンテナンス動作が停止してから規制部材を規制位置から許容位置まで変位させる間に時間を要する。そのため、開閉部材を開放する時点においては、メンテナンスユニットのメンテナンス動作を完了させた状態とすることができる。
【００１４】
また、本発明の液体噴射装置において、前記開閉部材は、当該開閉部材の開閉動作の際に操作される操作部を有すると共に、前記規制部材は、前記規制位置に位置した状態では前記操作部を外部からの操作不能に覆う。
【００１５】
上記構成によれば、規制部材が規制位置に位置した状態では、開閉部材の操作部はユーザーによる操作が実行できないように規制部材によって外部から覆われている。そのため、規制部材が規制位置に位置した状態でユーザーが開閉部材を開放しようとすることにより、規制部材や開閉部材に対して不要な力が作用することを未然に防止することができる。
【図面の簡単な説明】
【００１６】
【図１】（ａ）は本実施形態のプリンターの斜視図、（ｂ）は本実施形態のプリンターの側断面図。
【図２】（ａ）はロール体収容部が規制位置に位置した状態を示す模式図、（ｂ）はロール体収容部が許容位置に位置した状態を示す模式図。
【発明を実施するための形態】
【００１７】
以下、本発明を液体噴射装置の一種であるインクジェット式プリンター（以下、「プリンター」ともいう。）に具体化した一実施形態を図１及び図２に基づいて説明する。なお、以下の説明において、「前後方向」、「上下方向」及び「左右方向」をいう場合は、特に説明がない限り、図１において矢印で示す「前後方向」、「上下方向」及び「左右方向」をいうものとする。また、この場合における「前後方向」はその後側から前側に向かう方向がターゲットの搬送方向に相当すると共に、「上下方向」は鉛直方向（重力方向）に相当し、「左右方向」はターゲットの搬送方向と交差する幅方向に相当する。
【００１８】
図１（ａ）に示すように、液体噴射装置としてのプリンター１１は、筐体状をなす装置本体１２を備えている。装置本体１２は、その上面１２ａが水平方向に沿った略矩形の平面状をなすように形成されると共に、その上面１２ａと後側面１２ｂとが交差する左右方向に延びた角部分の略中央には、上面１２ａ及び後側面１２ｂの双方に開口するように凹部１３が切り欠き形成されている。
【００１９】
また、装置本体１２の後側面１２ｂにおいて凹部１３と左右方向で対応する位置には、ロール体収容部１４が回動軸１５（図１（ｂ）参照）を介して回動自在に取り付けられている。ロール体収容部１４は、下方に向かって開口する箱体状に形成された上側ケース部１６ａと、上方に向かって開口する箱体状に形成された下側ケース部１６ｂとを備えている。そして、図１（ｂ）に示すように、両ケース部１６ａ，１６ｂが互いに当接することにより、ロール体収容部１４の内部には長尺状のターゲットとしてのシートＳをロール状に巻き重ねたロール体Ｒを収容する収容空間が形成されている。この点で、ロール体収容部１４は、ターゲットを収容可能に形成されたターゲット収容体として機能する。また、下側ケース部１６ｂの後端には、略Ｕ字状をなす取手部１７が後方に向かって延びるように設けられている。
【００２０】
また、装置本体１２の後側面１２ｂにおける右下寄りの位置には、矩形板状をなす開閉部材としての開閉扉１８が設けられている。そして、装置本体１２の内部において開閉扉１８によって開閉される空間域には、後述するメンテナンスユニット１９が収容されている。なお、開閉扉１８における左上寄りの位置には、開閉扉１８を開閉する際にユーザーによって把持される操作部としての把持部１８ａ（図２（ｂ）参照）が設けられている。
【００２１】
図１（ｂ）に示すように、装置本体１２の内部には、搬送部２０と、印刷部２１と、排紙部２２とが設けられている。
搬送部２０には、シートＳの搬送経路に沿って複数の搬送ローラー２３〜２６が設けられている。そして、これらの搬送ローラー２３〜２６は、ロール体収容部１４内のロール体Ｒから巻き解かれて繰り出されるシートＳを印刷部２１に向けて搬送するようになっている。
【００２２】
印刷部２１には、ロール体Ｒから巻き解かれて搬送されるシートＳを支持可能な支持面（図１（ｂ）では上面）を有する支持板２７が設けられている。また、支持板２７の支持面に対して上下方向で対向する位置には、キャリッジ２８が設けられている。キャリッジ２８は、図示しない駆動手段によってシートＳの搬送方向と交差する幅方向（左右方向）に往復移動可能に構成されている。また、キャリッジ２８の下面には、液体噴射ヘッドとしての記録ヘッド２９が支持されると共に、この記録ヘッド２９の下面（以下、「ノズル形成面」ともいう。）には、インクを噴射するための複数のノズル（図示略）が形成されている。そして、記録ヘッド２９は、支持板２７との間を通って搬送されるシートＳに対してインクを噴射することにより、シートＳに対して印刷処理を施すようになっている。
【００２３】
また、印刷部２１には、支持板２７よりも右方側（図１（ｂ）における紙面手前側）となる位置、すなわち、シートＳが至らない非印刷領域に、記録ヘッド２９をメンテナンスする場合にキャリッジ２８を位置させるためのホームポジションが設けられている。そして、このホームポジションの下方には、記録ヘッド２９からのシートＳに対するインク噴射が良好に維持されるように、各種のメンテナンス動作（例えば、クリーニング）を実行するメンテナンスユニット１９が設けられている。
【００２４】
メンテナンスユニット１９は、キャップ３１、廃液流路としての排出チューブ３２、及び吸引ポンプ３３等を構成要素として備えている。キャップ３１は、上側が開口した有底略四角箱状をなすように構成されると共に、図示しない昇降機構からの駆動力に基づき、記録ヘッド２９のノズル形成面に対してノズルのノズル開口を囲うように当接することによりノズル形成面との間に密閉空間を形成するようになっている。また、キャップ３１の底面には、当該キャップ３１内からインクを排出させる可撓性材料からなる排出チューブ３２の一端側が接続されている。また、排出チューブ３２の他端側は、その他端側の端部（下流端）と上下方向で対応する装着位置に着脱自在に装着された略箱体状をなす廃液タンクとしての廃インクタンク３４の内部に対して上方から臨むように配置されている。また、排出チューブ３２の中間部には吸引ポンプ３３が配設されている。
【００２５】
そして、キャップ３１が記録ヘッド２９の下面であるノズル形成面に対してノズルのノズル開口を囲うように当接した状態で吸引ポンプ３３を駆動することにより、記録ヘッド２９のノズルから増粘したインクが気泡と共に吸引されるようになっている。また、記録ヘッド２９のノズルから吸引された廃インクは、キャップ３１及び排出チューブ３２を介して廃インクタンク３４内に排出されるようになっている。
【００２６】
また、印刷部２１には、シートＳの搬送経路上における支持板２７よりも下流側となる位置に、シートＳを搬送方向と交差する幅方向（左右方向）に切断可能なカッター３５が設けられている。そして、シートＳは、カッター３５により連続紙の状態から単票紙の状態に切断されるようになっている。
【００２７】
排紙部２２には、印刷部２１においてカッター３５によって単票紙となるように切断されたシートＳに対して搬送方向の下流側に向かう搬送力を付与する搬送ローラー対３６ａ，３６ｂと、当該搬送ローラー対３６ａ，３６ｂによって搬送力が付与されたシートＳを反転させる反転部３７とを備えている。反転部３７は、断面略円弧状をなす２枚の案内板３８によって構成されると共に、両案内板３８は前後方向に間隔を隔てて平行に配置されている。そして、両案内板３８の間には、湾曲した反転経路が形成されている。そして、搬送ローラー対３６ａは、反転部３７に形成された反転経路の上流端の近傍位置に配置される一方で、搬送ローラー対３６ｂは、反転部３７に形成された反転経路の下流端の近傍位置に配置されている。なお、反転部３７は、その上端部分が装置本体１２の上面１２ａよりも上方に位置するように配置されている。
【００２８】
そして、記録ヘッド２９により印刷処理が施されたシートＳは、下流側に搬送されるとともに反転部３７の反転経路を通過することによって表裏両面が反転される。また、反転されたシートＳは、装置本体１２の前側であって且つ上面１２ａよりも上方に位置する排出口３９からロール体収容部１４側となる装置本体１２の後側に向かって排出される。なお、排出口３９から排出されたシートＳは、インクが付着した印刷面を下方に向けた状態で装置本体１２の上面１２ａに対して載置されるようになっている。
【００２９】
なお、ユーザーは、ロール体収容部１４の取手部１７を把持した状態で、開閉扉１８の開閉動作を規制する規制位置（図２（ａ）に示す位置）と、開閉扉１８の開閉動作を許容する許容位置（図２（ｂ）に示す位置）との間でロール体収容部１４を変位させることが可能となっている。
【００３０】
そして、図２（ａ）に示すように、ロール体収容部１４が規制位置に位置した状態では、下側ケース部１６ｂが開閉扉１８に対して前後方向に対向して開閉扉１８の移動範囲内に位置するように配置される。この場合、ユーザーは、図２（ａ）に二点鎖線で示すように、上側ケース部１６ａを回動軸１５を中心として上方に回動させることにより、ロール体収容部１４の収容空間を外部に開放することができ、この収容空間に収容されているロール体Ｒを容易に新しいロール体Ｒに交換することができるようになっている。なお、この場合、開閉扉１８の把持部１８ａは、ロール体収容部１４によって装置本体１２の外側から覆われている。そのため、ユーザーは、装置本体１２の外側から把持部１８ａに対して指先を差し入れて把持部１８ａを把持することができ難くなっている。
【００３１】
一方、図２（ｂ）に示すように、ロール体収容部１４が許容位置に位置した状態では、下側ケース部１６ｂが開閉扉１８の移動範囲から上方に外れた位置に配置されるようになっている。この場合、開閉扉１８の開放が可能となるので、開閉扉１８が開放された状態で装置本体１２内の装着位置からメンテナンスユニット１９の廃インクタンク３４を装置本体１２外に引き出すことが可能となる。そして、そのようにして引き出した廃インクタンク３４から廃インクを廃棄することができるようになっている。
【００３２】
次に、上記のように構成されたプリンター１１の作用について、特に、廃インクタンク３４の着脱時に開閉扉１８を開放する際の作用に着目して以下説明する。
さて、廃インクタンク３４には、記録ヘッド２９のクリーニング動作時に記録ヘッド２９から吐出される廃インクが回収されるようになっている。ここで、廃インクタンク３４に回収される廃インクの液量が所定量（すなわち、廃インクタンク３４における廃インクの回収限度量）を上回ると、廃インクタンク３４に対して廃インクを回収することができなくなる。そこで、廃インクタンク３４を装置本体１２から取り出して廃インクタンク３４から廃インクを取り除いた上で、この廃インクタンク３４を装置本体１２内に再び装着することが望ましい。この場合、装置本体１２から廃インクタンク３４を取り出すためには、装置本体１２内において廃インクタンク３４の装着位置が設けられた空間域を開閉扉１８の開放動作を通じて外部に開放することが必要となる。
【００３３】
この点、本実施形態では、プリンター１１の印刷動作時には、常には、ロール体収容部１４が開閉扉１８の開放動作を規制する規制位置に位置している。そして、この状態では、開閉扉１８の開放動作は、開閉扉１８の移動範囲内に位置するロール体収容部１４によって規制される。そのため、ユーザーは、開閉扉１８の開放動作を行うためには、ロール体収容部１４の取手部１７を把持した状態で、ロール体収容部１４を開閉扉１８の移動範囲から上方に外れた許容位置まで持ち上げる必要がある。
【００３４】
ここで、ロール体収容部１４を規制位置から許容位置まで変位させるようにロール体収容部１４を持ち上げる際には、ロール体収容部１４の重量に応じた負荷が作用する。この点、本実施形態のように、プリンター１１の印刷動作を中断して廃インクタンク３４の取り外しを実行する場合には、ロール体収容部１４内には未だ印刷処理が行われていないシートＳを巻装したロール体Ｒが収容されている。そのため、このようなロール体収容部１４を規制位置から許容位置まで持ち上げるためには若干の時間を要することとなる。
【００３５】
すなわち、本実施形態のプリンター１１においては、ユーザーは、メンテナンスユニット１９による記録ヘッド２９のメンテナンス動作を実行した直後に廃インクタンク３４の取り外しを行おうとしても、ロール体収容部１４を規制位置から許容位置まで持ち上げるまでの間は開閉扉１８の開放動作を行うことができない。そして、メンテナンスユニット１９においては、ユーザーがロール体収容部１４を持ち上げている間に、記録ヘッド２９からキャップ３１に吐出された廃インクが排出チューブ３２を通じて廃インクタンク３４に回収される。そのため、開閉扉１８の開放動作が行われる時点では、メンテナンスユニット１９は、排出チューブ３２側から廃インクタンク３４側への廃インクの排出が終了しているので、排出チューブ３２の下端部から廃インクタンク３４に向けて廃インクが流出することは殆んどない。したがって、開閉扉１８を開放した直後に廃インクタンク３４を装置本体１２から取り外したとしても、排出チューブ３２の下端部から廃インクが流出して装置本体１２内を汚染することが回避される。
【００３６】
上記実施形態によれば、以下に示す効果を得ることができる。
（１）メンテナンスユニット１９による記録ヘッド２９のメンテナンス動作を行った直後に廃インクタンク３４を取り外すために開閉扉１８の開放動作を実行しようとしても、開閉扉１８を開放するためにはロール体収容部１４を規制位置から許容位置に向けて変位させる動作が必要となる。すなわち、開閉扉１８の開放動作に際して、ロール体収容部１４を規制位置から許容位置に変位させるまでの間に時間を要する。そのため、開閉扉１８を開放する時点においては、メンテナンスユニット１９のメンテナンス動作を完了させた時点から少しは時間が経過した状態とすることができる。その結果、この時点において開閉扉１８を開放して装置本体１２内の装着位置から廃インクタンク３４を取り外したとしても、排出チューブ３２の下流端から廃インクが滴下するようなことは殆どない。したがって、メンテナンスユニット１９によるメンテナンス動作後に廃インクタンク３４を取り外した場合において装置本体１２内の汚染を抑制することができる。
【００３７】
（２）ロール体Ｒを収容可能に形成されたロール体収容部１４が開閉扉１８の開放動作を規制する規制部材として機能する。そのため、開閉扉１８の開閉動作を規制するための専用の部材を設けることが不要となるため、部品点数を低減することができる。
【００３８】
（３）ロール体収容部１４が規制位置に位置した状態では、開閉扉１８の把持部１８ａはユーザーによる操作が実行できないようにロール体収容部１４によって装置本体１２の外側から覆われている。そのため、ロール体収容部１４が規制位置に位置した状態でユーザーが開閉扉１８を開放しようとすることにより、ロール体収容部１４や開閉扉１８に対して不要な力が作用することを未然に防止することができる。
【００３９】
なお、上記実施形態は、以下のような別の実施形態に変更してもよい。
・上記実施形態において、ロール体収容部１４は、規制位置に位置した状態において開閉扉１８の把持部１８ａを装置本体１２の外側から覆わないように構成してもよい。すなわち、ロール体収容部１４は、開閉扉１８の把持部１８ａを覆わなくても、規制位置では開閉扉１８の開放動作を規制するように、開閉扉１８の移動範囲内に位置する構成であればよい。
【００４０】
・上記実施形態において、開閉扉１８を開閉する際にユーザーによって把持される把持部１８ａは、必ずしも設けられていなくてよい。
・上記実施形態において、許容位置から規制位置へのロール体収容部１４の変位を検出する変位センサーを検出手段として設けてもよい。そして、プリンター１１の動作を統括的に制御する制御手段としての制御装置が、変位センサーがロール体収容部１４の変位を検出した場合に出力する検出信号に基づき、プリンター１１の稼動を停止させるようにしてもよい。
【００４１】
この構成によれば、ユーザーがプリンター１１の稼動を停止させることなく開閉扉１８を開放しようとしたとしても、規制位置から許容位置へのロール体収容部１４の変位に応じてプリンター１１の稼動が停止される。そして、プリンター１１の稼動が停止してからロール体収容部１４を規制位置から許容位置まで変位させる間に時間を要する。そのため、開閉扉１８を開放する時点においては、メンテナンスユニット１９による記録ヘッド２９に対するメンテナンス動作を完了させた状態とすることができる。
【００４２】
また、制御装置は、変位センサーがロール体収容部１４の変位を検出した場合に変位センサーから出力される検出信号に基づき、メンテナンスユニット１９による記録ヘッド２９に対するメンテナンス動作を停止させるようにしてもよい。
【００４３】
この構成によれば、ユーザーがメンテナンスユニット１９のメンテナンス動作時に開閉扉１８を開放しようとしたとしても、規制位置から許容位置へのロール体収容部１４の変位に応じてメンテナンスユニット１９のメンテナンス動作が停止される。そして、メンテナンスユニット１９のメンテナンス動作が停止してからロール体収容部１４を規制位置から許容位置まで変位させる間に時間を要する。そのため、開閉扉１８を開放する時点においては、メンテナンスユニット１９のメンテナンス動作を完了させた状態とすることができる。また、この構成によれば、ユーザーがロール体収容部１４を持ち上げる度にプリンター１１の稼動を停止させることがないため、プリンター１１における印刷処理のスループットの低下を抑制することができる。
【００４４】
・上記実施形態において、開閉扉１８は、装置本体１２においてロール体収容部１４が設けられた後側面１２ｂとは異なる面部位（例えば、左側面）に設けてもよい。すなわち、開閉扉１８の移動範囲内にロール体収容部１４を配置可能な構成であれば、装置本体１２における任意の部位に開閉扉１８を設ける構成としてもよい。
【００４５】
・上記実施形態において、開閉扉１８の開閉動作を規制するための規制部材は、ロール体収容部１４に限定されず、開閉扉１８の移動範囲内に位置する規制位置と、開閉扉１８の移動範囲から外れた許容位置との間で変位可能な部材であれば、任意の部材を採用することができる。
【００４６】
・上記実施形態において、開閉扉１８の開閉動作を規制するための専用の部材をロール体収容部１４以外に設けてもよい。
・上記各実施形態において、液体噴射装置として、インク以外の他の液体を噴射したり吐出したりする液体噴射装置を採用しても良い。微小量の液滴を吐出させる液体噴射ヘッド等を備える各種の液体消費装置に流用可能である。なお、液滴とは、上記液体噴射装置から吐出される液体の状態をいい、粒状、涙状、糸状に尾を引くものも含むものとする。また、ここでいう液体とは、液体消費装置が噴射させることができるような材料であれ良い。例えば、物質が液相であるときの状態のものであれば良く、粘性の高い又は低い液状態、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散または混合されたものなどを含む。また、液体の代表的な例としては上記実施例の形態で説明したようなインク等が挙げられる。ここで、インクとは一般的な水性インクおよび油性インク並びにジェルインク、ホットメルトインク等の各種流体組成物を包含するものとする。液体消費装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散または溶解のかたちで含む液体を噴射する液体噴射装置、バイオチップ製造に用いられる生体有機物を噴射する液体噴射装置、精密ピペットとして用いられ試料となる流体を噴射する液体噴射装置、捺染装置やマイクロディスペンサ等であってもよい。さらに、時計やカメラ等の精密機械にピンポイントで潤滑油を噴射する液体噴射装置、光通信素子等に用いられる微小半球レンズ（光学レンズ）などを形成するために紫外線硬化樹脂等の透明樹脂液を基板上に噴射する液体噴射装置、基板などをエッチングするために酸又はアルカリ等のエッチング液を噴射する液体噴射装置を採用してもよい。
【符号の説明】
【００４７】
１１…液体噴射装置としてのプリンター、１２…装置本体、１４…規制部材及びターゲット収容体としてのロール体収容部、１８…開閉部材としての開閉扉、１８ａ…操作部としての把持部、１９…メンテナンスユニット、２９…液体噴射ヘッドとしての記録ヘッド、３２…廃液流路としての排出チューブ、３４…廃液タンクとしての廃インクタンク、Ｓ…ターゲットとしてのシート。
【図１】
0005614146.tif 000002
【図２】
0005614146.tif 000003